(57)【特許請求の範囲】
【請求項１】
着座者を支える荷重受け部材のフレームを片持ち支持する支持部材と、前記フレームの支持側端部を前記支持部材に係止する第１の軸部材を備え、前記第１の軸部材は、前記支持側端部に対して前記支持側端部の軸線方向に挿入され、片持ち支持によって前記支持側端部に作用する回転モーメントを折る方向に作用させて受けることを特徴とする椅子の片持ち支持機構。
【請求項２】
前記支持部材は前記支持側端部を下から片持ち支持すると共に、前記支持側端部の先端面を受ける縦壁を有し、前記第１の軸部材は前記支持側端部の先端面を前記縦壁に係止することを特徴とする請求項１記載の椅子の片持ち支持機構。
【請求項３】
前記支持側端部に対して前記第１の軸部材の挿入方向に直交する方向に挿入される第２の軸部材を備えることを特徴とする請求項１記載の椅子の片持ち支持機構。
【請求項４】
前記荷重受け部材は座であることを特徴とする請求項１記載の椅子の片持ち支持機構。
【請求項５】
前記荷重受け部材は肘掛けであることを特徴とする請求項１記載の椅子の片持ち支持機構。
【請求項６】
前記支持部材は前記荷重受け部材の前側端部を片持ち支持することを特徴とする請求項１記載の椅子の片持ち支持機構。
【請求項７】
前記支持部材は前記荷重受け部材の後側端部を片持ち支持することを特徴とする請求項１記載の椅子の片持ち支持機構。
【請求項８】
前記第１の軸部材は、ねじ又はボルトであることを特徴とする請求項１記載の椅子の片持ち支持機構。
【請求項９】
前記第２の軸部材は、ねじ又はボルトであることを特徴とする請求項３記載の椅子の片持ち支持機構。
【発明の詳細な説明】
【技術分野】
【０００１】
本発明は、椅子の片持ち支持機構に関する。さらに詳しくは、本発明は、座や肘掛け等の着座者の体重を受ける荷重受け部材と当該荷重受け部材を片持ち支持する支持部材との連結構造の改良に関するものである。
【背景技術】
【０００２】
片持ち式の椅子として、例えば図６に示すように長尺のパイプを折り曲げて脚部のフレーム１０１ａと座部のフレーム１０１ｂを一体的に形成したフレーム１０１を有するものがある（特許文献１）。座部フレーム１０１ｂは脚部フレーム１０１ａの上端を後方に折り曲げることで形成されている。即ち、座部フレーム１０１ｂはその前側端を脚部フレーム１０１ａに片持ち支持されている。
【０００３】
このタイプのフレーム１０１はパイプを折り曲げて形成されるため、例えば曲げ部分１０１ｃを角形状にできない等のデザイン上の制約がある。そのため、例えば曲げ部分１０１ｃを角形状にする場合には、脚部フレーム１０１ａと座部フレーム１０１ｂとを別々に形成し、脚部フレーム１０１ａの上端に座部フレーム１０１ｂの前端を溶接するようにしている。
【０００４】
また、椅子の回転モーメントが作用する部分の連結構造として、例えば図７及び図８に示すように、背もたれのフレーム１０２の下端部をブラケット１０３に連結するものがある（特許文献２）。この連結構造では、ブラケット１０３の取付片１０３ａの後面に背フレーム１０２の取付部１０２ａの前面を重ね合わせてボルト１０４で止めている。ボルト１０４は取付片１０３ａと取付部１０２ａとを重ね合わせた方向に挿入されており、取付部１０２ａに形成されたねじ孔１０２ｂにねじ込まれている。したがって、着座者が凭り掛かる等した場合に背フレーム１０２に作用する回転モーメントは背フレーム１０２の取付部１０２ａをボルト１０４から引き抜く方向に作用し、ボルト１０４とねじ孔１０２ｂに刻まれたねじ山・ねじ溝によって回転モーメントを受けるようにしている。
【先行技術文献】
【特許文献】
【０００５】
【特許文献１】実開平７−２８４５２号公報
【特許文献２】特開２００６−１８７５３８号公報
【発明の概要】
【発明が解決しようとする課題】
【０００６】
しかしながら、上述の片持ち式の椅子では、曲げ部分１０１ｃを角形状にするために、脚部フレーム１０１ａと座部フレーム１０１ｂとを別々に形成しこれらを溶接しているので、フレーム１０１の形成に手間が掛かる。ここで、図７及び図８に示す連結構造のようにボルト１０４を使用して脚部フレーム１０１ａの上端に座部フレーム１０１ｂの前端を連結して片持ち支持することも考えられるが、この場合には脚部フレーム１０１ａと座部フレーム１０１ｂとを重ね合わせた方向からボルト１０４を挿入することになり、この連結構造では片持ち支持によって座部フレーム１０１ｂに生じる回転モーメントがボルト１０４が抜ける方向に作用するので、片持ち支持の剛性を高くすることができない。
【０００７】
本発明は、片持ち支持の剛性を高くすることができると共に、簡単に連結することができる椅子の片持ち支持機構を提供することを目的とする。
【課題を解決するための手段】
【０００８】
かかる目的を達成するために請求項１記載の椅子の片持ち支持機構は、着座者を支える荷重受け部材のフレームを片持ち支持する支持部材と、フレームの支持側端部を支持部材に係止する第１の軸部材を備え、第１の軸部材は、支持側端部に対して支持側端部の軸線方向に挿入され、片持ち支持によって支持側端部に作用する回転モーメントを折る方向に作用させて受けるものである。
【０００９】
したがって、支持部材によって片持ち支持されている荷重受け部材に着座者の重さが作用すると、荷重受け部材のフレームには支持されていない側の端部を下げ、支持されている側の端部（支持側端部）を上げようとする回転モーメントが発生する。荷重受け部材のフレームの支持側端部は第１の軸部材によって支持部材に係止されているので、この回転モーメントを第１の軸部材が受ける。回転モーメントは第１の軸部材に対して当該第１の軸部材を折る方向に作用するので、第１の軸部材の回転モーメントに対する剛性は大きく、第１の軸部材はフレームの支持側端部を支持部材にしっかりと固定する。
【００１０】
また、請求項２記載の椅子の片持ち支持機構は、支持部材が支持側端部を下から片持ち支持すると共に、支持側端部の先端面を受ける縦壁を有し、第１の軸部材は支持側端部の先端面を縦壁に係止するものである。したがって、荷重受け部材のフレームを支持部材によって下から支えることができる。第１の軸部材はフレームの支持側端部が回転モーメントによって支持部材から浮き上がるのを防止する。
【００１１】
また、請求項３記載の椅子の片持ち支持機構は、支持側端部に対して第１の軸部材の挿入方向に直交する方向に挿入される第２の軸部材を備えるものである。
【００１２】
したがって、第２の軸部材はフレームの支持側端部と支持部材とが第１の軸部材から抜ける方向に移動するのを防止する。また、第１の軸部材に加えて第２の軸部材も荷重受け部材に作用する回転モーメントを受けることになるので、支持側端部が支持部材に対してより一層しっかりと固定される。特に、回転モーメントが第２の軸部材を折る方向に作用するように第２の軸部材を配置した場合には、第１の軸部材と同様に、第２の軸部材の回転モーメントに対する剛性が大きくなるので、フレームの支持側端部をより一層しっかりと固定することができる。
【００１３】
ここで、請求項４記載の椅子の片持ち支持機構のように、荷重受け部材が座であることが好ましい。また、請求項５記載の椅子の片持ち支持機構のように、荷重受け部材が肘掛けであることが好ましい。
【００１４】
また、請求項６記載の椅子の片持ち支持機構のように、支持部材が荷重受け部材の前側端部を片持ち支持するものでも良く、あるいは、請求項７記載の椅子の片持ち支持機構のように、支持部材が荷重受け部材の後側端部を片持ち支持するものでも良い。
【００１５】
そして、請求項８記載の椅子の片持ち支持機構のように、第１の軸部材はねじ又はボルトであることが好ましく、また、請求項９記載の椅子の片持ち支持機構のように、第２の軸部材はねじ又はボルトであることが好ましい。
【発明の効果】
【００１６】
本発明の椅子の片持ち支持機構によれば、片持ち支持される荷重受け部材を支持部材にしっかり連結することができる。しかも、第１の軸部材、請求項３記載の発明についてはこれに加えて第２の軸部材を使用してフレーム支持側端部を支持部材に係止するので、これらを簡単に連結することができる。
【図面の簡単な説明】
【００１７】
【図１】本発明の椅子の片持ち支持機構の実施形態の一例を示す縦断面図である。
【図２】図１のII−II線に沿う断面図である。
【図３】図２のIII−III線に沿う断面図である。
【図４】本発明の椅子の片持ち支持機構を採用した椅子の側面図である。
【図５】本発明の椅子の片持ち支持機構を採用した椅子を示し、網状部材及びトレーを外した状態の正面図である。
【図６】従来の片持ち式の椅子を示す側面図である。
【図７】従来の椅子の回転モーメントが作用する部分の連結構造を示し、縦断面図である。
【図８】図７のＡ−Ａ線に沿う断面図である。
【発明を実施するための形態】
【００１８】
以下、本発明の構成を図面に示す最良の形態に基づいて詳細に説明する。
【００１９】
図１から図５に本発明の椅子の片持ち支持機構の実施形態の一例を示す。この椅子の片持ち支持機構（以下、単に片持ち支持機構という）は、着座者を支える荷重受け部材１のフレーム６を下から片持ち支持する支持部材２と、荷重受け部材１のフレーム６の支持側端部６ｄを支持部材２に係止する第１の軸部材３とを備え、第１の軸部材３は、支持側端部６ｄに対して支持側端部６ｄの軸線４方向に挿入され、片持ち支持によって支持側端部６ｄに作用する回転モーメントＭを折る方向に作用させて受けるものである。
【００２０】
本実施形態では、椅子の座の前部を片持ち支持する場合を例に説明する。即ち、荷重受け部材１は座（以下、座１という）であり、支持部材２は荷重受け部材１のフレーム６の前側端部（支持側端部）６ｄを片持ち支持するものである。また、荷重受け部材１のフレーム６は座１のサイドフレームである。ただしこれに限るものではない。
【００２１】
座１は、左右一対のサイドフレーム６，６と、これら左右のサイドフレーム６，６間に張り渡された１枚の網状部材７とで構成されている。ただし、座１の構造はこれに限るものではない。本実施形態では、左右のサイドフレーム６，６と１枚の網状部材７とによって座１に連続する背８も形成されている。なお、図１，図５では網状部材７の記載を省略している。
【００２２】
サイドフレーム６としては、棒材，パイプ材，板材等の使用が可能である。本実施形態のサイドフレーム６は、アルミ合金の押し出し成型品を所定の形状に曲げることで形成される。サイドフレーム６には座１となる水平部６ａと背８となる垂直部６ｂが形成されている。左右のサイドフレーム６の水平部６ａと垂直部６ｂとの間の曲げ部６ｃ及び垂直部６ｂの上端は連結部材９，１０によってそれぞれ連結されており、座１及び背８を構成するフレームとしての剛性が確保されている。左右のサイドフレーム６の外側上部には、網状部材７の側縁を差し込むための溝１１がサイドフレーム６の全長にわたって形成されている。また、左右のサイドフレーム６の前端面（下端面）６ｅには網状部材７の前側縁（下側縁）を差し込むための溝１２が、上端面（後端面）６ｆには網状部材７の上端縁（後端縁）を差し込むための溝（図示省略）がそれぞれ形成されている。これらの溝に網状部材７の周縁を差し込むことで左右のサイドフレーム６間に網状部材７が張られ、座１及び背８が形成される。下側の連結部材９には左右の肘掛け１３，１３が取り付けられている。左右のサイドフレーム６の支持側端部（前側端部）６ｄは、支持部材２としてのメインフレーム（以下、メインフレーム２という）のアーム２ａに片持ち支持されている。
【００２３】
メインフレーム２は、椅子の脚部１４上端に取り付けられたベース２ｂと、ベース２ｂの前部上面に設けられた左右一対のアーム２ａ，２ａより構成され、これらは例えばアルミダイキャスト法によって一体成型されている。左右のアーム２ａは前方に向けて斜め上方に伸びており、ベース２ｂと座１との間に収納空間１５が設けられている。ベース２ｂの上にはトレー５が取り付けられており、荷物を載せることができるようになっている。
【００２４】
各アーム２ａの上端にはサイドフレーム６の水平部６ａの支持側端部６ｄを下から支持する支持部２ｃが設けられている。
【００２５】
支持部２ｃはサイドフレーム６の水平部６ａに合わせて後方に向けて伸びており、その上面にはサイドフレーム６の支持側端部６ｄを下から受ける凹部１６が形成されている。凹部１６は支持部２ｃの後側にはそのまま突き抜けているが、前側に対しては支持側端部６ｄの先端面６ｅを受ける縦壁２ｄによって塞がれている。縦壁２ｄは支持部２ｃの前端（アーム２ａの前面）に形成され、ほぼ上下方向に沿っている。凹部１６はサイドフレーム６の支持側端部６ｄの形状に合わせて形成されている。凹部１６内面には複数の凸部１７，１８，１９，２０が設けられており、サイドフレーム６を複数箇所で局所的に支持することで、サイドフレーム６や支持部２ｃの形状に製造誤差があったとしてもこの誤差を吸収して確実に支持できるようになっている。本実施形態では、凹部１６底面の前後に点状の凸部１７，１８を設けると共に、幅方向内側の壁２ｅの内面の前後２箇所に面状の凸部１９，１９を、幅方向外側の壁２ｆの内面の上端縁に線状の凸部２０を設けている。
【００２６】
第１の軸部材３は、例えばねじである。ただし、第１の軸部材３はねじに限るものではなく、例えばボルト等でも良い。第１の軸部材３は支持部２ｃの縦壁２ｄに設けられた孔２１から挿入され、支持側端部６ｄに設けられているねじ穴にねじ込まれている。なお、第１の軸部材３としてタッピンねじを使用し、ねじを切りながら支持側端部６ｄにねじ込むようにしても良い。このようにして第１の軸部材３は支持側端部６ｄに対して支持側端部６ｄの軸線４方向に挿入され、支持側端部６ｄの先端面６ｅを支持部２ｃの縦壁２ｄに係止する。この第１の軸部材３の挿入方向は、支持部２ｃと支持側端部６ｄとを重ね合わせた方向（ほぼ上下方向）に対して直交する方向となる。本実施形態では、第１の軸部材３はほぼ前後方向後向きに挿入されている。
【００２７】
第１の軸部材３はカバー２４によって目隠しされている。第１の軸部材３と縦壁２ｄとの間には取付金具２５が挟み込まれており、カバー２４は取付金具２５の周縁に上から嵌め込まれる。カバー２４を取り付けて縦壁２ｄの前面を覆い第１の軸部材３を隠すことで、椅子の美観を良くすることができる。
【００２８】
本実施形態では、支持側端部６ｄの係止に第１の軸部材３に加えて第２の軸部材２２も使用している。第２の軸部材２２は、例えばねじである。ただし、第２の軸部材２２はねじに限るものではなく、例えばボルト等でも良い。本実施形態では第２の軸部材２２を２本使用している。第２の軸部材２２は支持部２ｃの内側の壁２ｅに凸部１９，１９に対応して設けられた孔２３，２３から挿入され、サイドフレーム６の支持側端部６ｄに設けられているねじ穴にそれぞれねじ込まれている。なお、第２の軸部材２２としてタッピンねじを使用し、ねじを切りながら支持側端部６ｄにねじ込むようにしても良い。このようにして第２の軸部材２２は支持側端部６ｄを支持部２ｃの内側の壁２ｅに係止する。
【００２９】
第２の軸部材２２は、第１の軸部材３の挿入方向（軸線４方向）に直交する方向に挿入される。また、本実施形態では、第２の軸部材２２の挿入方向は、回転モーメントＭが第２の軸部材２２を折る方向に作用する方向でもある。この第２の軸部材２２の挿入方向は、支持部２ｃと支持側端部６ｄとを重ね合わせた方向（ほぼ上下方向）に対して直交する方向となる。本実施形態では、第２の軸部材２２はほぼ椅子の幅方向外向きに挿入されている。
【００３０】
なお、本実施形態では、第２の軸部材２２をカバー等により目隠していないが、第２の軸部材２２は椅子の幅方向内側から取り付けられており、外側から見え難く、また、使用者が着座することによって更に見え難くなるので美観的にはあまり問題にならない。ただし、第２の軸部材２２をカバー等により隠すようにしても良い。
【００３１】
座１のサイドフレーム６，６は支持側端部６ｄ，６ｄをメインフレーム２のアーム２ａ，２ａの支持部２ｃ，２ｃに片持ち支持されているので、サイドフレーム６，６には支持部２ｃ，２ｃに支持されていない後側を下げ、支持されている支持側端部６ｄ，６ｄを持ち上げる回転モーメントＭが作用する。サイドフレーム６の支持側端部６ｄは第１の軸部材３によってアーム２ａの支持部２ｃに係止されているので、この回転モーメントＭを第１の軸部材３が受ける。
【００３２】
第１の軸部材３は支持側端部６ｄの軸線４方向から支持部２ｃの縦壁２ｄを貫通して支持側端部６ｄにねじ込まれており、回転モーメントＭは第１の軸部材３を折る方向に作用する。したがって、図７及び図８の連結構造のように、ボルト１０４の軸方向に回転モーメントが作用し、この回転モーメントをボルト１０４及びねじ孔１０２ｂの山谷部分（ねじ山・ねじ溝部分）で受ける場合に比べて、回転モーメントＭに対する剛性を大幅に向上させることができ、支持部２ｃに対して支持側端部６ｄをしっかりと固定することができる。
【００３３】
また、本実施形態では、第１の軸部材３に加えて２本の第２の軸部材２２，２２によっても回転モーメントＭを当該回転モーメントＭによって折られる方向で受けているので、片持ち支持機構全体として回転モーメントＭに対する剛性をより一層向上させることができ、支持部２ｃに対して支持側端部６ｄをより一層しっかりと固定することができる。
【００３４】
また、第２の軸部材２２は、第１の軸部材３のねじ込み方向に直交する方向にねじ込まれているので、第１の軸部材３からサイドフレーム６の支持側端部６ｄが抜けるのを確実に防止することができる。
【００３５】
また、第１の軸部材３は支持側端部６ｄの先端面６ｅを支持部２ｃの縦壁２ｄに係止するので、回転モーメントＭの回転中心から最も離れた位置（回転モーメントＭのアームが最も長い位置）で係止することになり、効率よく支持側端部６ｄを係止することができる。
【００３６】
なお、上述の形態は本発明の好適な形態の一例ではあるがこれに限定されるものではなく本発明の要旨を逸脱しない範囲において種々変形実施可能である。例えば、上述の説明では、第１の軸部材３に加えて第２の軸部材２２も使用していたが、第２の軸部材２２を使用しなくても良い。即ち、第１の軸部材３のみによってメインフレーム２の支持部２ｃにサイドフレーム６の支持側端部６ｄを係止するようにしても良い。この場合であっても、第１の軸部材３の回転モーメントＭに対する剛性は十分に高いことから、支持部２ｃに対して支持側端部６ｄをしっかりと固定することができる。また、第１の軸部材３はサイドフレーム６の支持側端部６ｄにねじ込まれており、且つ支持側端部６ｄと支持部２ｃとの間には摩擦力が作用しているので、第１の軸部材３から支持側端部６ｄが抜けてしまうことはない。
【００３７】
また、上述の説明では、第２の軸部材２２を椅子の幅方向内側から支持部２ｃ及び支持側端部６ｄに挿入するようにしていたが、挿入方向はこの方向に限るものではなく、例えば椅子の幅方向外側から挿入しても良く、あるいは上から又は下から挿入しても良い。椅子の幅方向外側から挿入する場合にも、幅方向内側から挿入する場合と同様に、回転モーメントＭを第２の軸部材２２に対して折る方向に作用させることができるので、回転モーメントＭに対する剛性をより一層向上させることができる。また、上から又は下から挿入する場合には、回転モーメントＭを第２の軸部材２２に対して折る方向に作用させることはできないが、第１の軸部材３からの支持側端部６ｄの抜け止めは確実に行うことができる。
【００３８】
また、上述の説明では、着座者の荷重を受ける荷重受け部材の片持ち支持機構として、座１の片持ち支持機構について説明したが、これに限るものではなく、肘掛け１３、背もたれ、ヘッドレスト等の荷重受け部材の片持ち支持機構についても適用可能である。
【００３９】
また、上述の説明では、荷重受け部材１の前側端部を片持ち支持する場合を例にしていたが、これに限るものはない。例えば、荷重受け部材１の後側端部を片持ち支持する場合に適用しても良く、あるいは荷重受け部材１の右側端部又は左側端部を片持ち支持する場合に適用しても良い。
【００４０】
また、上述の説明では、縦壁２ｄを支持部２ｃの前端に設けていたが、必ずしも支持部２ｃの前端に設ける必要はなく、支持部２ｃの途中等に設けても良い。
【００４１】
また、上述の説明では、第１の軸部材３によって支持側端部６ｄの前端面６ｅを係止するようにしていたが、必ずしも前端面６ｅを係止する必要はなく、前端面６ｅ以外の部分を係止するようにしても良い。例えば、支持側端部６ｄの前端面６ｅ以外の部分に係止用の凸部を形成し、この係止用凸部の前面を係止するようにしても良い。
【００４２】
また、上述の説明では、支持部２ｃは支持側端部６ｄを下から片持ち支持するものであったが、必ずしもこれに限るものではなく、例えば左右から片持ち支持するものであっても良い。
【符号の説明】
【００４３】
１  座（荷重受け部材）
２  支持部材
３  第１の軸部材
４  支持側端部の軸線
６  サイドフレーム（フレーム）
６ｄ  支持側端部
１３  肘掛け
２２  第２の軸部材
Ｍ  回転モーメント
【図１】
0005416562.tif 000002
【図２】
0005416562.tif 000003
【図３】
0005416562.tif 000004
【図４】
0005416562.tif 000005
【図５】
0005416562.tif 000006
【図６】
0005416562.tif 000007
【図７】
0005416562.tif 000008
【図８】
0005416562.tif 000009